(57)【要約】【課題】天井材や壁材に電気配線用の角孔を孔明け加工する際に用いられるボードカッタと称する切断工具において、従来照明具がダストボックスを通過して切断部位を照らす構成であったので、ダストボックスに粉塵等が堆積すると発光が遮られて明るさが損なわれる問題があった。本発明では、ダストボックス内に粉塵等が堆積しても明るさが損なわれないようにすることを目的とする。【解決手段】ダストボックス３０よりも前側へずれた位置に照明具４０を配置して、ベース２の先端に設けた切断案内部２ｂに対して発光がダストボックス３０を通過することなく直接照射されるようにする。【選択図】図１
2019202412.tif 000002
【特許請求の範囲】
【請求項１】
切断部位に当接させる当接面を有するベースと、該ベースの前記当接面とは反対側に支持された工具本体部を有し、該工具本体部は、電動モータを駆動源として、前記ベースの当接面から突き出させた刃具を面直方向に往復動させる刃具往復動機構と、前記刃具の往復動により前記切断部位で発生した粉塵を収容するためのダストボックスを備えた切断工具であって、
前記工具本体部は、前記ベースの前部に設けた切断案内部を照らすための照明具を備えており、該照明具を前記ダストボックスの外部に配置して当該ダストボックスを横切ることなく前記切断案内部に光を直接照射可能な構成とした切断工具。
【請求項２】
請求項１記載の切断工具であって、前記切断案内部と前記照明具の双方を前記ダストボックスの前端に対して前側に配置した切断工具。
【請求項３】
請求項２記載の切断工具であって、使用者が把持するグリップ部を備え、該グリップ部の上部に前方へ張り出すボックス受け部を設け、該ボックス受け部と前記ベースとの間に前記ダストボックスを装着するためのボックス装着部が設けられており、前記ボックス受け部の前部を前記ダストボックスの下部よりも前方に張り出して設け、該張り出した部位に前記照明具を備えた切断工具。
【請求項４】
請求項３記載の切断工具であって、前記ダストボックスを前記ボックス装着部から取り外すための取り外しボタンを備え、該取り外しボタンの取り外し操作方向と前記ダストボックスの前記ボックス装着部からの取り外し方向を相互に逆方向に設定した切断工具。
【請求項５】
請求項１〜４の何れか１項に記載した切断工具であって、前記工具本体部は、切断が進行する前後方向にモータ軸を沿わせて前記電動モータを内装しており、該工具本体部の前部側に使用者が把持するグリップ部を備え、該グリップ部の先端に前記電動モータの電源としてのバッテリパックを取り付けるためのバッテリ取り付け部を備えた切断工具。
【請求項６】
請求項５記載の切断工具であって、前記工具本体部の後部側と前記バッテリ取り付け部との間に、前記グリップ部とは別に使用者が把持可能な連結アーム部を設けた切断工具。
【請求項７】
請求項１〜６の何れか１項に記載した切断工具であって、前記電動モータの電源としてのバッテリパックを取り付け可能であり、前記照明具は、該バッテリパックを前記電動モータと共通の電源とする切断工具。
【発明の詳細な説明】
【技術分野】
【０００１】
本発明は、ボードカッタとも称され、例えば天井板や壁板に照明器具や空調機器を取り付けるための角形の孔を明ける作業に用いられる切断工具に関する。
【背景技術】
【０００２】
この種の切断工具は、使用者が上向きの姿勢で用いることが多いことから、切断粉を浴びないよう切断により発生した切断粉を切断部位の周辺で集塵するダストボックスを備えている。この種の切断工具に関する従来の技術が下記の特許文献に開示されている。特許文献１には、駆動側の防塵性を損なうことなく刃物の突出代を容易に変更可能とする技術が開示されているが、暗所で用いる場合の作業性が考慮されていない。この点、特許文献２には、暗所での作業を考慮して、照明具を備えた構成が開示されている。
【先行技術文献】
【特許文献】
【０００３】
【特許文献１】特開２００９−２２５９３号公報
【特許文献２】特開２００９−２４０４６６号公報
【発明の概要】
【発明が解決しようとする課題】
【０００４】
しかしながら、上記特許文献２に開示された切断工具によれば、ダストボックス内を通過して照明具の光を切断部位に照射する構成であったため、ダストボックス内に粉塵が堆積し、あるいはダストボックスの壁面に粉塵が付着することによって、切断部位に照射される光量が低減して切断部位が十分な明るさで照らされなくなり、その結果作業性が低下する問題があった。本発明は、ダストボックスに粉塵が堆積し、あるいはダストボックスの壁面に粉塵が付着しても照射部位の明るさが損なわれず、これにより当該切断工具の作業性を維持できるようにすることを目的とする。
【課題を解決するための手段】
【０００５】
上記した課題は、以下の各発明によって解決される。第１の発明は、切断部位に当接させる当接面を有するベースと、ベースの当接面とは反対側に支持された工具本体部を有し、工具本体部は、電動モータを駆動源として、ベースの当接面から突き出させた刃具を面直方向に往復動させる刃具往復動機構と、刃具の往復動により切断部位で発生した粉塵を収容するためのダストボックスを備えた切断工具である。第１の発明では、工具本体部は、ベースの前部に設けた切断案内部を照らすための照明具を備えている。第１の発明では、この照明具をダストボックスの外部に配置して当該ダストボックスを横切ることなく切断案内部に光を直接照射可能な構成となっている。
【０００６】
第１の発明によれば、ダストボックスを横切ることなく、切断案内部に対して照明具から直接光が照射される。このため、ダストボックス内に粉塵が堆積し、あるいはその壁面に粉塵が付着等しても（ダストボックスの透明度が低下しても）切断案内部に対する光量が低下することがなく、切断案内部が明るく照らされる状態に維持することができ、これにより当該切断工具の作業性を維持することができる。
【０００７】
第２の発明は、第１の発明において、切断案内部と照明具の双方をダストボックスの前端に対して前側に配置した切断工具である。
【０００８】
第２の発明によれば、ダストボックスの前端よりも前方において照明具の光が切断案内部に向けて照射される。このため、ダストボックス内に粉塵が堆積し、若しくはその壁面に粉塵が付着等しても切断案内部が明るく照らされた状態に維持される。
【０００９】
第３の発明は、第２の発明において、使用者が把持するグリップ部を備え、このグリップ部の上部に前方へ張り出すボックス受け部を設け、ボックス受け部とベースとの間にダストボックスを装着するためのボックス装着部が設けられており、ボックス受け部の前部をダストボックスの下部よりも前方へ張り出して設け、この張り出した部位に照明具を備えた切断工具である。
【００１０】
第３の発明によれば、ボックス装着部に装着したダストボックスの前方において、照明具から切断案内部に光が照射される。ダストボックスを通過することなく直接切断案内部に光が照射されるので、ダストボックスに粉塵が堆積等しても切断案内部の明るさが損なわれることがなく、当該切断工具の作業性が維持される。
【００１１】
第４の発明は、第３の発明において、ダストボックスをボックス装着部から取り外すための取り外しボタンを備え、取り外しボタンの取り外し操作方向とダストボックスのボックス装着部からの取り外し方向を相互に逆方向に設定した切断工具である。
【００１２】
第４の発明によれば、取り外しボタンの取り外し操作方向とダストボックスのボックス装着部からの取り外し方向が逆方向であることから、取り外しボタンを誤って取り外し操作方向に操作した場合であってもそのままダストボックスがボックス装着部から取り外されてしまうこと（脱落）を防止することができる。
【００１３】
第５の発明は、第１〜第４の何れか１つの発明において、工具本体部は、切断が進行する前後方向にモータ軸を沿わせて電動モータを内装しており、工具本体部の前部側に使用者が把持するグリップ部を備え、グリップ部の先端に電動モータの電源としてのバッテリパックを取り付けるためのバッテリ取り付け部を備えた切断工具である。
【００１４】
第５の発明によれば、バッテリパックを電源として電動モータが起動して刃具が往復動する。使用者は、工具本体部の前部側であって切断部位に近い部位に配置されたグリップ部を把持して当該切断工具を安定した状態で移動操作することができる。しかも、比較的重量の大きなバッテリパックがグリップ部の先端に取り付けられることから、ベースの当接面を例えば天井に当接させて当該切断工具を上向き姿勢で用いる場合に、当該切断工具の重心をグリップ部付近に位置させることができ、これにより当該切断工具を安定した姿勢で楽に把持することができ、この点で当該切断工具の作業性を高め、また使用者の負担を軽減することができる。
【００１５】
第６の発明は、第５の発明において、工具本体部の後部側とバッテリ取り付け部との間に、グリップ部とは別に使用者が把持可能な連結アーム部を設けた切断工具である。
【００１６】
第６の発明によれば、工具本体部とグリップ部とバッテリ取り付け部と連結アーム部とがループ形に結合されてこれらの構造的強度が高められる。これにより当該切断工具を誤って落下等させた場合における耐衝撃性を高めることができる。使用者は一方の手でグリップ部を把持し、他方の手で連結アーム部を把持することにより当該切断工具を安定した姿勢で移動操作することができ、これにより当該切断工具の操作性及び作業性を高めることができる。
【００１７】
第７の発明は、第１〜第６の何れか１つの発明において、電動モータの電源としてのバッテリパックを取り付け可能であり、前記照明具は、該バッテリパックを前記電動モータと共通の電源とする切断工具である。
【００１８】
第７の発明によれば、照明具専用の電源を必要としない点で当該切断工具の軽量化及び構成の簡略化を図ることができる。
【００１９】
第８の発明は、電動モータと、電動モータを収容する工具本体部と、工具本体部に保持されるベースと、電動モータの回転を往復動に変換する往復動機構と、往復動機構に接続される刃具ホルダと、工具本体部に保持され、電動モータの前方側に配置されるダストボックスと、ベースの前端付近を照らす照明具と、を有する切断工具である。
【００２０】
第８の発明によれば、ボードカッタやジグソー等の往復動切断工具について、ベースの前端部に設けた切断案内部（スミ線合わせ部）及びその周辺を明るく照らして暗所等での切断作業の作業性を高めることができる。
【００２１】
第９の発明は、ボードカッタに取り付け可能な集塵ダクトである。
【００２２】
第９の発明によれば、ボードカッタに集塵ダクトを取り付けることにより、集塵機による強制集塵を行うことができる。
【図面の簡単な説明】
【００２３】
【図１】本実施形態に係る切断工具の全体斜視図である。本図は、前側（使用者側）右斜め上方向から見た状態を示している。
【図２】本実施形態に係る切断工具の右側面図である。
【図３】本実施形態に係る切断工具の縦断面図である。
【図４】本実施形態に係る切断工具の全体斜視図である。本図は、ダストボックスをボックス装着部から取り外し方向にずらした状態を示している。
【図５】本実施形態に係る切断工具の全体斜視図である。本図は、ダストボックスを取り外した状態を示している。
【図６】本実施形態に係る切断工具を図１中矢印(VI)方向から見た前面図である。本図は、ダストボックスを装着した状態を示している。
【図７】本実施形態に係る切断工具を図５中矢印(VII)方向から見た前面図である。本図は、ダストボックスを取り外した状態を示している。
【図８】ダストボックスの右側面図である。
【図９】ダストボックスを図８中矢印(IX)方向から見た後面図である。
【図１０】第２実施形態に係るダストボックスを装着した切断工具の右側面図である。
【図１１】第２実施形態に係るダストボックスの右側面図である。
【図１２】第２実施形態に係るダストボックスの前面図である。本図は、集塵機接続口を左側へ傾斜させた状態を示している。
【図１３】第２実施形態に係るダストボックスの前面図である。本図は、集塵機接続口を右側へ傾斜させた状態を示している。
【図１４】本実施形態に係る切断工具の右側面図である。本図は、刃具にキャップを被せた状態を示している。
【図１５】キャップ単体の側面図である。
【図１６】図２中(XVI)-(XVI)線断面矢視図であって、キャップをキャップ収納部に収納した状態における切断工具の縦断面図である。
【図１７】刃具として鋸刃を取り付けた状態の刃具ホルダの斜視図である。
【図１８】刃具としてカッタを取り付けた状態の刃具ホルダの斜視図である。
【図１９】刃具を取り外した状態の刃具ホルダの斜視図である。
【図２０】刃具押え板の斜視図である。本図では、裏面側が見えている。
【図２１】刃具押え板の斜視図である。本図では、表面側が見えている。
【発明を実施するための形態】
【００２４】
次に、本発明の実施形態を図１〜図２１に基づいて説明する。図１及び図２に示すように本実施形態の切断工具１は、角穴カッタ、ナイフカッタ、ボード用カッタとも呼ばれるもので、切断部位（切断材Ｗ）に当接させる当接面２ａを有するベース２と、ベース２の当接面２ａとは反対側に支持された工具本体部１０を有している。切断材Ｗには、例えば図２に示すように天井等の天板部が相当する。ベース２の上面が切断材Ｗに対する当接面２ａとされている。当接面２ａの全体は傷付き防止用の樹脂カバー３で被われている。樹脂カバー３は、当接面２ａに対して簡単に脱着できるようになっている。
【００２５】
以下の説明では、当該切断工具１を用いて天井の天板部（切断材Ｗ）に例えば角形の孔明け加工する場合を想定して説明する。このため、図示するように当該切断工具１はベース２の当接面２ａを上方へ向けた上向き姿勢で用いる場合を想定し、部材や構成等の上下方向についてはこの上向き姿勢を基準にして用いる。また、使用者は図１において手前側、図２において切断工具１の左側に位置しており、前後方向については使用者側（手前側）を前側とし、左右方向については使用者を基準として用いる。
【００２６】
ベース２の前端には、切断案内部２ｂが設けられている。切断案内部２ｂは、ベース２の前端の幅方向中央がＶ字形に切り込まれて設けられている。この切断案内部２ｂに例えばすみ線を位置合わせすることにより精確な切断作業を行うことができる。
【００２７】
また、ベース２の幅方向中央には、刃具５を突き出すためのスリット２ｃが設けられている。なお、樹脂カバー３にも同様のスリットが設けられている。ベース２のスリット２ｃと樹脂カバー３のスリットを経て刃具５が上方へ突き出されている。樹脂カバー３の上面には、スリットの後部から後端に至って一定深さの溝部２ｅが設けられている。
【００２８】
工具本体部１０の詳細が図３に示されている。工具本体部１０は、モータケース１１の前部上面に一体に設けた支持台座部１２を介してベース２の下面側に支持されている。ベース２の下面側に支持された、モータケース１１、支持台座部１２及び後述するボックス受け部２５、グリップ部２７、バッテリ取り付け部４５、連結アーム部４７は、各部を一体に有する左右半割り部を固定ねじ６で複数個所を結合してなる左右半割り構造のケースを有している。円筒形状を有するモータケース１１に電動モータ１３が内装されている。この電動モータ１３を駆動源として刃具５が上下に往復動する。電動モータ１３の回転出力は刃具往復動機構２０を経て刃具５の往復動に変換される。
【００２９】
電動モータ１３の前方で支持台座部１２の内部に刃具往復動機構２０が設けられている。電動モータ１３のモータ軸１４に駆動側のかさ歯車１５が取り付けられている。駆動側のかさ歯車１５は、従動側のかさ歯車１６に噛み合わされている。従動側のかさ歯車１６は、支持台座部１２に回転可能に支持されている。従動側のかさ歯車１６の片面には、その回転中心に対して一定寸法だけ偏心して駆動軸１７が固定されている。
【００３０】
駆動軸１７には、軸受け１８を介して刃具ホルダ２１の支持部２１ａが相対回転自在に支持されている。図１７には、刃具ホルダ２１が単独で示されている。刃具ホルダ２１は、円筒形の支持部２１ａと、Ｌ字形に屈曲したアーム部２１ｂと、屈曲先端側の刃具保持部２１ｃを有している。アーム部２１ｂの縦部には、上下に長い溝孔形状のガイド孔２１ｄが設けられている。アーム部２１ｂの縦部が、支持台座部１２に設けたアーム規制部１２ａにより前後方向に一定の角度範囲で傾動動作が許容されつつ上下に変位可能に支持されている。アーム部２１ｂのガイド孔２１ｄには、アーム規制部１２ａに設けたガイド軸１２ｂが挿通されている。ガイド孔２１ｄ内においてガイド軸１２ｂが相対移動可能な範囲で当該刃具ホルダ２１が前後に傾動可能かつ上下に変位可能に支持されている。
【００３１】
アーム部２１ｂの横部の先端側に刃具保持部２１ｃが設けられている。図３に示すようにアーム部２１ｂの横部は前方に延びており、当該支持台座部１２から前方へ突き出されている。概ねこの突き出し部分が刃具保持部２１ｃとなっている。刃具保持部２１ｃに刃具５が取り付けられている。刃具５は、刃具ホルダ２１の刃具保持部２１ｃと押え板２２とにより強固に挟み込まれて固定されている。刃具ホルダ２１には、二種類の刃具５を取り付けることができる。この点については、後述する。
【００３２】
モータケース１１の前部下面側には、ボックス受け部２５が設けられている。ボックス受け部２５は、モータケース１１の前部下面から前方斜め下方へ向けて張り出す状態に設けられている。ボックス受け部２５とベース２の前部側との間に、ボックス装着部２６が設けられている。ボックス装着部２６には、ダストボックス３０が装着されている。ダストボックス３０はボックス装着部２６から取り外すことができる。図８及び図９に、取り外したダストボックス３０が単体で示されている。ダストボックス３０は、刃具５による切断加工により発生する粉塵（切断粉）を集塵する機能を有するもので、透明樹脂を素材として上方開放の箱体形状に成形されている。ダストボックス３０は、３本の固定ねじ７で左右半割り部を相互に結合した左右半割り構造を有している。図９に示すようにダストボックス３０の後面上部には、上部開口から下方へ矩形に切り込み形成された切り欠き部３０ａが設けられている。図３に示すようにこの切り欠き部３０ａを経て後述する装着ばね３５が当該ダストボックス３０内に進入される。
【００３３】
ダストボックス３０は、ボックス装着部２６に装着された状態では、支持台座部１２に沿って配置される。このため、図３に示すように装着状態のダストボックス３０内に、刃具ホルダ２１の刃具保持部２１ｃが突き出され、従って刃具５の下部側が収容された状態となる。切断加工により発生した粉塵はスリット２ｃを経てダストボックス３０内に集塵される。集塵された粉塵はダストボックス３０内の底部に堆積する。ダストボックス３０をボックス装着部２６から取り外せば、堆積した粉塵を簡単に排出することができる。
【００３４】
図９に示すようにダストボックス３０の後面下部側には、矩形の開口を有する凹部３０ｂが設けられている。この凹部３０ｂ内にロック爪３１が設けられている。ロック爪３１は傾動支軸部３１ａを介して前後に傾動可能に支持されている。図９に示すように傾動支軸部３１ａには捩りばね３３が装着されている。この捩りばね３３によって、ロック爪３１はその後部側（爪部３１ｂ）を後方（ロック側）へ変位させる方向（図８において反時計回り方向）に付勢されている。ロック爪３１の上部には、取り外しボタン３２が一体に設けられている。取り外しボタン３２は、当該ダストボックス３０の左右両側から操作することができる。この取り外しボタン３２を捩りばね３３の付勢力に抗して後方へ押し操作すると、ロック爪３１が傾動支軸部３１ａを中心にして図８において時計回り方向に傾動することにより爪部３１ｂが前側（アンロック側）へ変位される。
【００３５】
ロック爪３１に対向して、ボックス受け部２５の前面には、係合凹部３４が設けられている。ボックス装着部２６にダストボックス３０を嵌め込むと、ロック爪３１の爪部３１ｂが係合凹部３４に進入してその上部に係合される。ロック爪３１のロック操作は、ダストボックス３０の嵌め込み操作力により自動的になされる。爪部３１ｂの係合凹部３４に対する係合状態（ロック状態）は捩りばね３３の付勢力により保持される。
【００３６】
このロック状態において、使用者が取り外しボタン３２を指先で後方（アンロック側）へ押し操作することにより、ダストボックス３０をボックス装着部２６から取り外すことができる。捩りばね３３に抗して取り外しボタン３２を後方へ押し操作すると、ロック爪３１が傾動支軸部３１ａを中心にして時計回り方向（アンロック側）に傾動し、これにより爪部３１ｂが前方へ変位して係合凹部３４の上部から外れる。取り外しボタン３２を後方へ押し操作した状態を保持しつつ、当該ダストボックス３０を前方へ変位させることによりボックス装着部２６から取り外すことができる。このように、取り外しボタン３２のアンロック操作方向（後方）と、当該ダストボックス３０の取り外し方向（前方）が相互に逆方向となっていることにより、誤って取り外しボタン３２をアンロック方向に操作しても、あるいは取り外しボタン３２が周囲の他部位に干渉等しても、ダストボックス３０がそのまま取り外されてしまうことがない。ダストボックス３０の不用意な脱落が防止されている点で、当該切断工具１の操作性若しくは使い勝手が高められている。
【００３７】
ダストボックス３０の上部（開口側）には左右一対の突起部３７ｃが設けられている。この左右の突起部３７ｃが、ベース２の前部下面側に設けたＬ字形の係合部２ｆに前側から挿入されて係合されることにより、当該ダストボックス３０の主として上部側がベース２に対して保持される。また、図３〜図５に示すように支持台座部１２の前面上部には、装着ばね３５が設けられている。前記したようにこの装着ばね３５は、ダストボックス３０の後面に設けた切り欠き部３０ａを経て当該ダストボックス３０内に進入している。この装着ばね３５の付勢力によって、ダストボックス３０の主として上部側が装着位置に保持され、これにより当該ダストボックス３０がボックス装着部２６への装着状態に保持される。また、装着ばね３５によって、ダストボックス３０のがたつき及び脱落が防止される。
【００３８】
ボックス受け部２５の先端上面には、照明具４０が配置されている。照明具４０はＬＥＤ（発光ダイオード）を透明レンズ４０ａで覆ったもので、ダストボックス３０の前面よりも前側へ張り出した位置に配置されている。この照明具４０により、上方の切断案内部２ｂが明るく照らされる。この照明具４０は、ダストボックス３０の前面よりも前側へ張り出した位置に配置されている結果、図２に示すようにダストボックス３０は、照明具４０と切断案内部２ｂとを結ぶ線Ｌよりも後側の領域に装着されている。このことから、ベース前端の切断案内部２ｂに向けて発せられた照明具４０の照射光がダストボックス３０によって遮られることなく、直接切断案内部２ｂに照射される。これにより、ダストボックス３０内に粉塵等が多く堆積する状態であっても、切断案内部２ｂは常時照明具４０によって明るく照らされ、これにより暗所等での切断作業の便宜が図られるようになっている。
【００３９】
ボックス受け部２５の下面側からグリップ部２７が下方へ延びる状態に設けられている。グリップ部２７は、作業時及び持ち運び時に使用者が片手で把持する部分で、その上部後面には、把持した手の指先で引き操作するトリガ形式のスイッチレバー２８が設けられている。スイッチレバー２８を引き操作するとその前方に内装したスイッチ本体２９がオンし、これにより電動モータ１３が起動する。前記したように電動モータ１３が起動すると刃具５が前後に傾動しつつ上下に往復動する。
【００４０】
ボックス受け部２５の側部には、ロックオフボタン３６が設けられている。このロックオフボタン３６を一方向へ押し込み操作すると、スイッチレバー２８のロックオフ状態が解除されて引き操作可能な状態となる。ロックオフボタン３６を逆方向へ押し込み操作すると、スイッチレバー２８が引き操作できないロックオフ状態とすることができる。このロックオフ状態では、スイッチレバー２８の不用意な引き操作が禁止されて、当該切断工具１の誤作動が防止される。
【００４１】
グリップ部２７の表面には、エラストマ樹脂を素材とする滑り止め部２７ａが被覆されている。滑り止め部２７ａに手が当てられることにより作業時の滑り止めがなされることから、精確な切断作業を迅速に行うことができ、ひいては当該切断工具１の作業性が高められている。
【００４２】
グリップ部２７の先端（下部）にバッテリ取り付け部４５が設けられている。バッテリ取り付け部４５は概ね平板形状を有して、概ねグリップ部２７から後方へ大きく張り出す状態に設けられている。バッテリ取り付け部４５は、その下面側にバッテリパック５０を取り付けるための台座部として機能する。詳細な説明は省略するが、バッテリ取り付け部４５の下面側には左右一対のレール受け部が設けられている。この左右一対のレール受け部に、バッテリパック５０の上面に設けた左右一対のレール部が係合されることにより、当該バッテリパック５０がバッテリ取り付け部４５の下面側に取り付けられる。バッテリパック５０は、バッテリ取り付け部４５に対して前方へスライドさせて取り付けることができ、後方へスライドさせることによりバッテリ取り付け部４５から取り外すことができる。図３において符号５０ａを付して示したロック爪部を下方へ押し下げ操作すれば、バッテリパック５０を後方へスライドさせて取り外すことができる。
【００４３】
図では見えていないが、バッテリ取り付け部４５の下面側であって、左右一対のレール受け部の間に、正負のターミナル板が配置されている。バッテリパック５０の上面であって左右一対のレール部の間には、このターミナル板が電気的に接続される正負の端子部が設けられている。バッテリパック５０は、バッテリ取り付け部４５から取り外して、別途用意した充電器で充電することにより繰り返し使用することができる。バッテリパック５０は、例えば出力電圧１４．４Ｖのリチウムイオンバッテリで、他の電動工具にも流用可能な汎用性の高いバッテリを利用することができる。
【００４４】
バッテリ取り付け部４５の上面には、照明具４０を点灯、消灯するための照明スイッチ４６が設けられている。図３に示すように照明スイッチ４６は、バッテリ取り付け部４５の上面に沿って配置されてシート状のスイッチパネル４６ａと、スイッチパネル４６ａの下面側に収容したスイッチ本体４６ｂを備えている。スイッチパネル４６ａを指先で押し操作すると、スイッチ本体４６ｂがオンして照明具４０が点灯する。点灯状態で再度スイッチパネル４６ａを押し操作するとスイッチ本体４６ｂがオフして照明具４０が消灯する。照明具４０は、バッテリパック５０を電源として点灯する。
【００４５】
バッテリ取り付け部４５の後部には、ストラップ４９が設けられている。ストラップ４９を利用することにより作業時及び持ち運び時に当該切断工具１を誤って落下させてしまうミスを防止できる。また、図６，７に示すように、バッテリ取り付け部４５の左側部には、Ｕ字形のフック４１が取り付けられている。このフック４１を使用者の腰ベルトに引き掛けて持ち運ぶことができ、また棚や脚立に引き掛けておくことにより当該切断工具１を安全に保管しておくことができる。
【００４６】
バッテリ取り付け部４５の張り出し先端側（後部側）と、工具本体部１０の後部は、連結アーム部４７により相互に連結されている。この連結アーム部４７により、工具本体部１０とグリップ部２７とバッテリ取り付け部４５がループ形に結合されている。これにより、例えば当該切断工具１の落下時等における工具本体部１０やバッテリ取り付け部４５の構造的強度が確保されており、ひいては当該切断工具１の耐久性が高められている。
【００４７】
連結アーム部４７は、グリップ部２７の後方に適度な隙間をおいて、概ね平行に配置されている。このため、使用者はこの連結アーム部４７をサブグリップ部として把持することができる。一方の手でグリップ部２７を把持し、他方の手で連結アーム部４７を把持することにより当該切断工具１をより安定した姿勢で保持することができ、これにより精確な切断作業を迅速かつ楽に行うことができる。
【００４８】
図１０には、集塵ダクト付きのダストボックスを取り付けた切断工具１が示されている。本実施形態の切断工具１には、ダストボックス３０に代えて、集塵ダクト３７ａを備えたダストボックス３７を取り付けることができる。図１０及び図１１に示すようにこのダストボックス３７は、前記例示したダストボックス３０の下側前角部を矩形に凹ませた形状を有している。この矩形凹部３７ｂに集塵ダクト３７ａが支持されている。矩形凹部３７ｂの後方に、前記例示したロック爪３１が設けられている。
【００４９】
集塵ダクト３７ａには、図示省略した集塵機を接続することができる。ダストボックス３７内に集塵した粉塵を集塵機により強制的に集塵することにより、当該ダストボックス３７内の粉塵の堆積を回避することができ、これにより効率のよい集塵を長時間にわたって実現することができる。前記例示したダストボックス３０を備える切断工具１を有する使用者が、別途集塵ダクト３７ａ付きのダストボックス３７を入手して、ダストボックス３０に代えてボックス装着部２６に装着することにより当該切断工具１を集塵機に接続して用いることができる。このことから、集塵ダクト３７ａ付きのダストボックス３７を、集塵機接続用のアタッチメント（集塵ダクト）として利用することができる。
【００５０】
図１２及び図１３に示すように集塵ダクト３７ａは山形に屈曲しており、左方又は右方に首振り可能に支持されている。集塵ダクト３７ａを左方又は右方に傾けることにより、照明具４０による切断案内部２ｂの照明が阻害されないようになっている。
【００５１】
次に、前記したように刃具ホルダ２１には、刃先の形態が異なる二種類の刃具５を交換して取り付けることができる。図５に示すようにボックス装着部２６からダストボックス３０を取り外すことにより、刃具ホルダ２１が露出される。この露出状態で、固定ねじ２３を緩めることにより、刃具５を交換することができる。図１７及び図１８に、刃具ホルダ２１の詳細が示されている。刃具５は、刃具ホルダ２１の刃具保持部２１ｃと押え板２２と間に挟み込まれて固定されている。押え板２２は、２本の固定ねじ２３により刃具保持部２１ｃに結合されている。図１７は、刃具５の一例としてＡ種刃具５Ａを取り付けた状態を示している。図１８は、刃具５の刃先の形態がＡ種刃具５Ａとは異なるＢ種刃具５Ｂを取り付けた状態を示している。
【００５２】
Ａ種刃具５Ａには、帯板形状を有し、その両側部と先端部に沿って多数の歯を有する鋸刃を利用することができる。このＡ種刃具５Ａは、主として石膏ボード用で、その先端角部の片側は円弧形に丸み（丸角部５ｂ）が持たせられている。この丸角部５ｂは、切断材Ｗに対して最初の切り込みを行う際に用いられる。Ａ種刃具５Ａには、その長手方向に沿って長い溝孔５ａが設けられている。Ｂ種刃具５Ｂには、事務用品としても広く市販されている薄板刃で、一定間隔で折れ目を設けた折る刃式のカッタ刃であって、商品名オルファカッター（オルファ株式会社製）のカッタ刃を用いることができる。Ｂ種刃具５Ｂは、例えばダンボール板の孔明け加工や切断加工に用いられる。Ａ種刃具５ＡとＢ種刃具５Ｂは、同じ幅寸法を有している。
【００５３】
図１９に示すように刃具ホルダ２１の刃具保持部２１ｃには、刃具５を位置決めするための凹部２１ｇが設けられている。凹部２１ｇは、Ａ種刃具５Ａ及びＢ種刃具５Ｂをともに嵌め込み可能な幅で形成されている。凹部２１ｇの幅方向中央には、溝孔形状の逃がし孔２１ｆが設けられている。凹部２１ｇの両側に、固定ねじ２３を締め込むためのねじ孔２１ｅが設けられている。図２０に押え板２２の表面（Ａ面２２Ａ）側が示され、図２１に押え板２２の裏面（Ｂ面２２Ｂ）側が示されている。押え板２２の両側部には、固定ねじ２３を挿通するための挿通孔２２ａが設けられている。押え板２２のＡ面２２Ａ側において両挿通孔２２ａ間に、Ａ種刃具５Ａを位置決めするためのＡ種突起２２ｂが設けられている。このＡ種突起２２ｂは、Ａ種刃具５Ａの溝孔５ａに挿入可能な幅で、その長手方向に一定の長さで形成されている。
【００５４】
図２１に示すように、押え板２２のＢ面２２Ｂ側には、Ｂ種刃具５Ｂを位置決めするためのＢ種突起２２ｃが設けられている。Ｂ種突起２２ｃは、両挿通孔２２ａ間から下側へずれた位置に設けられている。このＢ種突起２２ｃに、取り付けたＢ種刃具５Ｂの下端部が当接されて、その下動端位置が規制される。
【００５５】
図１７に示すように刃具ホルダ２１にＡ種刃具５Ａを取り付ける場合には、押え板２２のＡ面２２Ａ側が利用される。これに対して、図１８に示すように刃具ホルダ２１にＢ種刃具５Ｂを取り付ける場合には、押え板２２は表裏反転してそのＢ面２２Ｂ側が利用される。刃具５としてＡ種刃具５Ａを利用する場合には、図１７に示すように刃具保持部２１ｃの凹部２１ｇ内にＡ種刃具５Ａを嵌め込んだ状態で、押え板２２をＡ面２２Ａ側をＡ種刃具５Ａに向けて２本の固定ねじ２３で刃具保持部２１ｃに結合する。これにより、押え板２２のＡ種突起２２ｂがＡ種刃具５Ａの溝孔５ａ内に進入する。Ａ種突起２２ｂの先端側は、凹部２１ｇの底部に当接することなく逃がし孔２１ｆ内に逃がされる。これによりＡ種刃具５Ａは、凹部２１ｇの底面と押え板２２のＡ面２２Ａとの間に強固に挟みこまれて固定される。また、Ａ種刃具５Ａは、溝孔５ａ内にＡ種突起２２ｂが挿入されていることによりその幅方向へのがたつき（変位）が規制されるとともに、その往復動方向（主として上方向）へ抜け止めがなされている。図１〜図３に示すようにＡ種刃具５Ａは、その丸角部５ｂを前側（使用者側）にした向きで利用されるが、その前後方向を反転して凹部２１ｇ内に嵌め込むことにより、丸角部５ｂを後側にした向きで使用することもできる。
【００５６】
図１８に示すように刃具５としてＢ種刃具５Ｂを利用する場合には、刃具保持部２１ｃの凹部２１ｇ内にＢ種刃具５Ｂを嵌め込んだ状態で、押え板２２をＢ面２２Ｂ側をＢ種刃具５Ｂに向けて２本の固定ねじ２３で刃具保持部２１ｃに結合する。これにより、Ｂ種刃具５Ｂは、凹部２１ｇ内の底面と押え板２２との間に挟み込まれて固定される。Ｂ種刃具５Ｂは、凹部２１ｇ内に嵌め込まれていることによりその幅方向へのがたつき（変位）が規制される。また、この際に、押え板２２のＢ種突起２２ｃにＢ種刃具５Ｂの下端部を当接させておくことにより、Ｂ種刃具５Ｂの下方への位置ずれが規制された状態となる。
【００５７】
このように、本実施形態の切断工具１が備える刃具ホルダ２１は、Ａ種刃具５ＡとＢ種刃具５Ｂの二種類の刃具５を作業内容に合わせて交換することができる。Ａ種刃具５Ａを用いることにより、例えば石工ボード等の建築材等に対する角形の孔明け加工や切断加工を迅速に行うことができる。Ｂ種刃具５Ｂを用いることにより、壁紙やダンボール板等に対してきれいな切り口で角形の孔明け加工や切断加工を行うことができる。
【００５８】
Ａ種刃具５Ａの場合、固定ねじ２３を締め付けて刃具保持部２１ｃに固定する際に、凹部２１ｇに対する長手方向の位置を調整することにより、ベース２の上面側への突き出し寸法を調整することができ、これにより切断材Ｗに対する切り込み深さを調整することができる。
【００５９】
本実施形態の切断工具１は、刃具５のキャップ４８を備えている。刃具５の上部側は、ベース２の幅方向中央に設けたスリット２ｃを経て上方へ突き出されている。この突き出し部分が天井材や壁材等の切断材Ｗに対して切り込まれる。切断工具１の持ち運び時、保管時等の非使用時には、図１４に示すように刃具５のベース２の当接面２ａから突き出した部分にキャップ４８を被せておくことができる。刃具５の突き出し部分にキャップ４８を被せておくことにより、当該切断工具１の非使用時において刃具５の突き出し部分に手が直接触れる等の心配がなくなり、この点で当該切断工具１の保管時における取り扱い性をよくすることができる。
【００６０】
キャップ４８は、樹脂成形品で、下方に開口する薄形ケース形状を有している。キャップ４８の下側開口には左右２つずつで合計４つの係合脚部４８ａが下方へ突き出す状態で一体に設けられている。また、キャップ４８の下側開口の左右側部には、それぞれ側方へ張り出すストッパ部４８ｂが設けられている。一方、ベース２のスリット２ｃの前部であって刃具５の左右側部には、当該スリット２ｃを幅広に拡幅する合計４つの係合部２ｄが設けられている。各係合部２ｄに、係合脚部４８ａを差し込んで弾性的に係合させることにより当該キャップ４８がベース２に取り付けられる。係合脚部４８ａの差し込み深さは、左右のストッパ部４８ｂがベース２の上面（樹脂カバー３の上面）に当接されることにより規制されている。また、左右のストッパ部４８ｂがベース２の上面に当接されることにより、当該キャップ４８を安定した姿勢で取り付けておくことができる。取り付けたキャップ４８の左右側部を指先で挟んで押せば、各係合脚部４８ａの係合部２ｄに対する係合を外して当該キャップ４８を上側へ取り外すことができる。
【００６１】
キャップ４８は、支持台座部１２の後部に収納保持しておくことができる。図１４及び図１６に示すように支持台座部１２の右側後部には、保持アーム１２ｃが後方へ突き出す状態に設けられている。キャップ４８は、その下側開口から内周側に保持アーム１２ｃを差し込んで収納保持されている。キャップ４８の前部及び後部には、保持アーム１２ｃの両側を支持する台座部１２ｄを逃がす（進入させる）ためのスリット４８ｃが設けられている。内周側に保持アーム１２ｃを弾性的に差し込み、スリット４８ｃ内に台座部１２ｄを弾性的に進入させることにより、当該キャップ４８が振動等により不用意に脱落しない状態で支持台座部１２の右側後部に収納保持される。
【００６２】
以上のように構成した本実施形態の切断工具１によれば、ダストボックス３０は、照明具４０と切断案内部２ｂとを結ぶ線Ｌよりも後側の領域に配置されている。このため、照明具４０の発光がダストボックス３０に遮光されることがなくベース２の切断案内部２ｂに直接照射されて明るく照らされるようになっている。このことから、ダストボックス３０内に粉塵等が堆積し、若しくはその壁面に粉塵等が付着してその透明度が低下しても、従来のように明るさが低下してしまうことがなく、常時切断案内部２ｂを明るく照らして暗所等での作業性を高めることができる。
【００６３】
また、本実施形態によれば、ダストボックス３０が、当該ダストボックス３０の前面よりも前方へ張り出すベース２とボックス受け部２５との間に取り付けられる構成となっている。このため、当該切断工具１の落下時等において、ダストボックス３０が直接床面等に衝突することがなく、この点で当該ダストボックス３０の損傷を防止若しくは低減することができ、かつその不用意な脱落を未然に防止することができる。
【００６４】
さらに、本実施形態の切断工具１によれば、ダストボックス３０を取り外すための取り外しボタン３２の取り外し操作方向とダストボックス３０のボックス装着部２６からの取り外し方向が相互に逆方向に設定されている。このため、使用者が誤って取り外しボタン３２を取り外し操作方向に操作した場合であっても、あるいは取り外しボタン３２に他部材等が干渉等して取り外し方向に誤って操作されてしまった場合等であっても、ボックス受け部２６からダストボックス３０が不用意に脱落（取り外し）することを防止できる。
【００６５】
また、本実施形態の切断工具１によれば、工具本体部１０は、切断が進行する前後方向にモータ軸１４を沿わせて電動モータ１３を内装し、工具本体部１０の前部側に使用者が把持するグリップ部２７を備え、グリップ部２７の先端に電動モータ１３の電源としてのバッテリパック５０を取り付けるためのバッテリ取り付け部４５を備えた構成となっている。このように、比較的重量の大きなバッテリパック５０がグリップ部２７の先端に取り付けられることから、ベース２の当接面２ａを例えば天井に当接させて当該切断工具１を上向き姿勢で用いる場合に、当該切断工具１の重心位置をグリップ部２７付近に位置させることが容易になる。使用者が把持するグリップ部２７に当該切断工具１の重心位置を設定することにより、使用者は切断工具１をより小さな操作力で楽に取り扱うことができ、この点で当該切断工具１の作業性を高め、また使用者の負担を軽減することができる。
【００６６】
本実施形態の切断工具１は、工具本体部１０の後部とバッテリ取り付け部４５の後部を相互に連結する連結アーム部４７を備えている。連結アーム部４７によれば、工具本体部１０とグリップ部２７とバッテリ取り付け部４５がループ形に結合されることから、当該切断工具１の構造的強度が高められて、例えば誤って落下等させた場合における耐衝撃性を高めることができる。
【００６７】
また、連結アーム部４７は、補助グリップ部として機能する。使用者は一方の手でグリップ部２７を把持し、他方の手で連結アーム部４７を把持することにより当該切断工具１を安定した姿勢で楽に移動操作することができ、これにより当該切断工具１の操作性及び作業性を高めることができる。
【００６８】
さらに、例示した切断工具１によれば、バッテリパック５０が電動モータ１３と照明具４０の双方の電源として機能する。このため、個別に電源を備える構成に比して当該切断工具１の軽量化及び構成の簡略化を図ることができる。
【００６９】
以上説明した実施形態には種々変更を加えることができる。例えば、ダストボックス３０の下方に張り出すボックス受け部２５に照明具４０を配置して、ダストボックス３０の下方から切断案内部２ｂを照らす構成を例示したが、ダストボックス３０の側方に張り出す部位を新たに設けて、当該部位に照明具を配置して同じく切断案内部２ｂを照らす構成としてもよい。この場合、ダストボックス３０の左右両側若しくは片側に照明具を配置する構成とすることができる。
【００７０】
また、取り外しボタン３２の操作方向をダストボックス３０の取り外し方向（前方）に対してほぼ逆方向（後方）とする構成を例示したが、下方向若しくは上方向としてもよい。
【００７１】
刃具ホルダ２１は、刃具保持部２１ｃに対して押え板２２を２本の固定ねじ２３で結合して両者間に刃具５を挟み込んで取り付ける構成を例示したが、ワンタッチで取り付け、取り外しする形態の刃具ホルダに変更することができる。
【００７２】
本発明に係る切断工具１は、ベース２の当接面２ａを上方へ向けた上向き姿勢に限らず、横方向へ向けた横向き姿勢、下方へ向けた下向き姿勢で用いることができる。また、木材や石膏ボードに限らず樹脂板、厚紙、ダンボール板等の孔明け加工、切断加工に用いることができる。孔明け加工は、角孔、丸孔等その他形状の孔明け加工に用いることができる。また、連結アーム部４７は省略してもよい。
【符号の説明】
【００７３】
Ｗ…切断材（切断部位）
１…切断工具（ボードカッタ）
２…ベース
２ａ…当接面、２ｂ…切断案内部、２ｃ…スリット、２ｄ…係合部、２ｅ…溝部
２ｆ…係合部
３…樹脂カバー
５…刃具、５Ａ…Ａ種刃具（鋸刃）、５Ｂ…Ｂ種刃具（カッタ）
５ａ…溝孔、５ｂ…丸角部
６…固定ねじ
７…固定ねじ
１０…工具本体部
１１…モータケース
１２…支持台座部
１２ａ…アーム規制部、１２ｂ…ガイド軸、１２ｃ…保持アーム、１２ｄ…台座部
１３…電動モータ
１４…モータ軸
１５…かさ歯車（駆動側）
１６…かさ歯車（従動側）
１７…駆動軸
１８…軸受け
２０…刃具往復動機構
２１…刃具ホルダ
２１ａ…支持部、２１ｂ…アーム部、２１ｃ…刃具保持部、２１ｄ…ガイド孔
２１ｅ…ねじ孔、２１ｆ…逃がし孔、２１ｇ…凹部
２２…押え板
２２Ａ…Ａ面、２２Ｂ…Ｂ面
２２ａ…挿通孔、２２ｂ…Ａ種突起、２２ｃ…Ｂ種突起
２３…固定ねじ
２５…ボックス受け部
２６…ボックス装着部
２７…グリップ部、２７ａ…滑り止め部（エラストマ樹脂）
２８…スイッチレバー
２９…スイッチ本体
３０…ダストボックス
３１…ロック爪
３１ａ…傾動支軸部、３１ｂ…爪部
３２…取り外しボタン
３３…捩りばね
３４…係合凹部
３５…装着ばね
３６…ロックオフボタン
３７…ダストボックス
３７ａ…集塵ダクト、３７ｂ…矩形凹部、３７ｃ…突起部
４０…照明具、４０ａ…透明レンズ
Ｌ…照明具４０と切断案内部２ｂとを結ぶ線
４１…フック
４５…バッテリ取り付け部
４６…照明スイッチ
４７…連結アーム部
４８…キャップ
４８ａ…係合脚部、４８ｂ…ストッパ部、４８ｃ…スリット
４９…ストラップ
５０…バッテリパック、５０ａ…ロック爪部
【図１】
2019202412.tif 000003
【図２】
2019202412.tif 000004
【図３】
2019202412.tif 000005
【図４】
2019202412.tif 000006
【図５】
2019202412.tif 000007
【図６】
2019202412.tif 000008
【図７】
2019202412.tif 000009
【図８】
2019202412.tif 000010
【図９】
2019202412.tif 000011
【図１０】
2019202412.tif 000012
【図１１】
2019202412.tif 000013
【図１２】
2019202412.tif 000014
【図１３】
2019202412.tif 000015
【図１４】
2019202412.tif 000016
【図１５】
2019202412.tif 000017
【図１６】
2019202412.tif 000018
【図１７】
2019202412.tif 000019
【図１８】
2019202412.tif 000020
【図１９】
2019202412.tif 000021
【図２０】
2019202412.tif 000022
【図２１】
2019202412.tif 000023
【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
切断部位に当接させる当接面を有するベースと、該ベースの前記当接面とは反対側に支持された工具本体部を有し、
該工具本体部は、電動モータを駆動源として、前記ベースの当接面から突き出させた刃具を面直方向に往復動させる刃具往復動機構と、前記刃具の往復動により前記切断部位で発生した粉塵を収容するためのダストボックスを備えた切断工具であって、
前記ダストボックスは、集塵機と接続可能な集塵ダクトを備えた切断工具。
【請求項２】
請求項１記載の切断工具であって、
前記集塵ダクトは、前記当接面を上方へ向けた上向き姿勢において前記ダストボックスの下部に設けられている切断工具。
【請求項３】
請求項２記載の切断工具であって、
前記集塵ダクトは、前記ダストボックスの角部に設けられた凹部に支持されている切断工具。
【請求項４】
請求項１〜３の何れか１項に記載した切断工具であって、
前記集塵ダクトは、山形に屈曲しており、左方又は右方に首振り可能に支持されている切断工具。
【請求項５】
請求項１〜４の何れか１項に記載した切断工具であって、
前記工具本体部は、前記ダストボックスを着脱可能とし、かつ他のダストボックスを着脱可能とするボックス装着部を備えた切断工具。
【請求項６】
請求項１〜５の何れか１項に記載した切断工具であって、
使用者が把持するグリップ部を備え、該グリップ部の上方かつ前方に前記ダストボックスが配置される切断工具。
【請求項７】
切断部位に当接させる当接面を上部に有するベースと、
該ベースの下部に支持された工具本体部と、
該工具本体部に収容される電動モータと、
該電動モータにより駆動される往復動機構と、
該往復動機構に接続され、刃具を取り付け可能な刃具保持部と、
前記工具本体部に形成されるダストボックス装着部と、
該ダストボックス装着部に着脱可能に装着され、前記刃具の往復動により前記切断部位で発生した粉塵を収容するためのダストボックスと、
該ダストボックスに設けられ、集塵機と接続可能な集塵ダクトと、を有し、
前記ダストボックス装着部には、凹部が設けられており、
前記ダストボックスには、前記凹部へと付勢された凸部が設けられる切断工具。
【請求項８】
請求項７記載の切断工具であって、
前記ダストボックスは、前記凸部を付勢に抗して操作可能であって、前記ダストボックスを前記ダストボックス収容部から取り外し可能とする取り外しボタンを左右に有する切断工具。
【請求項９】
請求項７記載の切断工具であって、
前記電動モータの前方に、前記ダストボックスが配置されており、
前記ダストボックスの前部に、前記集塵ダクトが配置されており、
前記集塵ダクトは、前方及び下方に向けて延びる切断工具。